(57)【要約】  制御部は、第１の電子部品と、前記第１の電子部品が実装された制御基板と、を有し、検出部は、第２の電子部品と、前記第２の電子部品が実装された回転角検出基板と、を有し、前記制御基板の面は、軸方向と垂直な方向に拡がり、前記回転角検出基板の面は、軸方向と垂直な方向に拡がり、前記回転角検出基板は、シャフトよりも軸方向他方側に位置し、前記制御基板は、前記回転角検出基板よりも軸方向他方側に位置し、前記制御基板は、軸方向において前記回転角検出基板と重なり、接続部材は、前記回転角検出基板と前記制御基板とを電気的に接続し、前記接続部材は、前記回転角検出基板及び前記制御基板から離れる方向に延びる延伸部を有する。
2019208076.tif 000002
【特許請求の範囲】
【請求項１】
軸方向に延びる中心軸に沿って配置されたシャフトを有するモータ部と、
前記モータ部の作動を制御する制御部と、
前記シャフトの回転角を検出する検出部と、
前記制御部と前記検出部とを電気的に接続する接続部材と、
を有し、
前記モータ部は、
前記シャフトの軸方向他方側に固定されるロータと、
前記ロータと対向して配置されたステータと、
を有し、
前記制御部は、
第１の電子部品と、
前記第１の電子部品が実装された制御基板と、
を有し、
前記検出部は、
第２の電子部品と、
前記第２の電子部品が実装された回転角検出基板と、
を有し、
前記制御基板の面は、軸方向と垂直な方向に拡がり、
前記回転角検出基板の面は、軸方向と垂直な方向に拡がり、
前記回転角検出基板は、前記シャフトよりも軸方向他方側に位置し、
前記制御基板は、前記回転角検出基板よりも軸方向他方側に位置し、
前記制御基板は、軸方向において前記回転角検出基板と重なり、
前記接続部材は、前記回転角検出基板と前記制御基板とを電気的に接続し、
前記接続部材は、前記回転角検出基板及び前記制御基板から離れる方向に延びる延伸部を有する
モータユニット。
【請求項２】
前記接続部材の、前記回転角検出基板及び前記制御基板から離れる方向に延びる延伸部は、軸方向において前記回転角検出基板及び前記制御基板から離れる方向に延びる延伸部である
請求項１に記載のモータユニット。
【請求項３】
前記接続部材と前記回転角検出基板との接続位置は、軸方向と垂直な方向において、前記接続部材と前記制御基板との接続位置とずれた位置である
請求項１又は２に記載のモータユニット。
【請求項４】
前記接続部材と前記回転角検出基板との接続位置は、前記回転角検出基板の第１の辺に位置し、
前記接続部材と前記制御基板との接続位置は、前記制御基板の第２の辺に位置し、
軸方向と垂直な方向での前記第１の辺の向きは、軸方向と垂直な方向での前記第２の辺の向きと同じである
請求項１から３のいずれか一項に記載のモータユニット。
【請求項５】
前記回転角検出基板及び前記回転角検出基板を固定する台座部を有し、
前記台座部は、樹脂製の部材であり、
前記台座部は、前記接続部材をインサート品として、インサート成形された
請求項１から４のいずれか一項に記載のモータユニット。
【請求項６】
導通性を有する導通部材を有し、
前記台座部は、前記導通部材をインサート品として、インサート成形された
請求項５に記載のモータユニット。
【請求項７】
前記接続部材と前記回転角検出基板との接続位置は、前記接続部材と前記制御基板との接続位置よりも径方向内側である
請求項１から６のいずれか一項に記載のモータユニット。
【請求項８】
請求項１から７のいずれか一項に記載のモータユニットと、
前記モータ部の軸方向一方側に位置し、前記モータ部によって前記シャフトを介して駆動されオイルを吐出するポンプ部と、を有し、
前記ポンプ部は、
前記モータ部から軸方向一方側に突出する前記シャフトに取り付けられるポンプロータと、
前記ポンプロータを収容する収容部を有したポンプハウジングと、
を有する
電動オイルポンプ。
【発明の詳細な説明】
【技術分野】
【０００１】
本発明は、モータユニット及び電動オイルポンプに関する。
【背景技術】
【０００２】
従来、モータユニット及び電動オイルポンプが知られる。特許文献１は、電動駆動装置において、モータの回転角を検出する回転角検出基板とモータの駆動を制御する制御基板とを、モータの軸方向で重ねて配置した構成を開示する。【０００３】
特許文献１に記載の電動駆動装置は、回転角検出基板と制御基板との間にヒートシンクを配置し、回転角検出基板と制御基板とを、ストレートな一本の接続部材で電気的に接続する。
【先行技術文献】
【特許文献】
【０００４】
【特許文献１】特許第５９３６７００号公報
【発明の概要】
【発明が解決しようとする課題】
【０００５】
特許文献１に記載の電動駆動装置は、接続部材がストレートであるため、回転角検出基板における接続部材の接続位置と、制御基板における接続部材の接続位置とが、各基板の面が拡がる方向でずれないようにしなければならなかった。このため、特許文献１に記載の電動駆動装置をモータユニットに適用した場合、各基板における部品の実装位置及び各基板における配線の位置の自由度が低く、基板形状やモータユニットの形状が限定され、モータユニットが大型化してしまうという問題があった。【０００６】
本発明の目的は、小型化したモータユニットを提供することである。
【課題を解決するための手段】
【０００７】
本願の例示的な第１発明は、軸方向に延びる中心軸に沿って配置されたシャフトを有するモータ部と、前記モータ部の作動を制御する制御部と、前記シャフトの回転角を検出する検出部と、前記制御部と前記検出部とを電気的に接続する接続部材と、を有し、前記モータ部は、前記シャフトの軸方向他方側に固定されるロータと、前記ロータと対向して配置されたステータと、を有し、前記制御部は、第１の電子部品と、前記第１の電子部品が実装された制御基板と、を有し、前記検出部は、第２の電子部品と、前記第２の電子部品が実装された回転角検出基板と、を有し、前記制御基板の面は、軸方向と垂直な方向に拡がり、前記回転角検出基板の面は、軸方向と垂直な方向に拡がり、前記回転角検出基板は、前記シャフトよりも軸方向他方側に位置し、前記制御基板は、前記回転角検出基板よりも軸方向他方側に位置し、前記制御基板は、軸方向において前記回転角検出基板と重なり、前記接続部材は、前記回転角検出基板と前記制御基板とを電気的に接続し、前記接続部材は、前記回転角検出基板及び前記制御基板から離れる方向に延びる延伸部を有するモータユニットである。
【発明の効果】
【０００８】
本願の例示的な第１発明によれば、小型化したモータユニットを提供することができる。
【図面の簡単な説明】
【０００９】
【図１】第１実施形態に係る電動オイルポンプの斜視図である。
【図２】図１のＡ−Ａ矢視に相当する電動オイルポンプの断面図である。
【図３】図１に示した電動オイルポンプ１からモータカバー７２ｃを外した状態を示す斜視図である。
【図４】図３に示した電動オイルポンプ１から制御部８２を外した状態を示す斜視図である。
【図５】図１に示した電動オイルポンプ１から、樹脂ユニット１４及びインサート成形により樹脂ユニット１４と一体化された構成を抜き出して示す斜視図である。
【図６】図５の構成を、図５とは異なる向きから見た斜視図である。
【図７】バスバー１５ａ、１５ｂ、１５ｃ、１５ｄ及び１５ｅによる、制御部８２と検出部７２との接続状態を示す図であって、＋Ｙ方向を図中の左側に配置した側面図である。
【図８】バスバー１５ａ、１５ｂ、１５ｃ、１５ｄ及び１５ｅによる、制御部８２と検出部７２との接続状態を示す図であって、＋Ｘ方向を図中の左側に配置した側面図である。
【図９】バスバー１５ａ、１５ｂ、１５ｃ、１５ｄ及び１５ｅによる、制御部８２と検出部７２との接続状態を示す図であって、＋Ｘ方向を図中の左側に配置した平面図である。
【図１０】バスバー１５ａ、１５ｂ、１５ｃ、１５ｄ及び１５ｅによる、制御部８２と検出部７２との接続状態を示す図であって、＋Ｘ方向を図中の左側に配置した底面図である。
【図１１】図９の構成から制御部８２を外した状態を示す平面図である。
【図１２】図１に示した電動オイルポンプ１から、バスバー１５ａ、バスバー１５ｂ、バスバー１５ｃ、バスバー１５ｄ及びバスバー１５ｅを抜き出して示す斜視図である。
【発明を実施するための形態】
【００１０】
以下、図面を参照しながら、本発明の実施形態に係る電動オイルポンプについて説明する。本実施形態では、自動車等の車両に搭載されるトランスミッションにオイルを供給する電動オイルポンプについて説明する。また、以下の図面においては、各構成をわかり易くするために、実際の構造と各構造における縮尺及び数等を異ならせる場合がある。
【００１１】
また、図面においては、適宜３次元直交座標系としてＸＹＺ座標系を示す。ＸＹＺ座標系において、Ｚ軸方向は、図２に示す中心軸Ｊの軸方向と平行な方向であって図２の上下方向とする。Ｙ軸方向は、図２の左右方向とする。Ｘ軸方向は、Ｙ軸方向及びＺ軸方向の両方と直交する方向とする。Ｘ軸方向、Ｙ軸方向、Ｚ軸方向の何れにおいても、図中に示される矢印の向く側を＋側、反対側を−側とする。
【００１２】
また、以下の説明においては、Ｚ軸方向の正の側（＋Ｚ側）を「リア側」と記し、Ｚ軸方向の負の側（−Ｚ側）を「フロント側」と記す。なお、リア側及びフロント側とは、単に説明のために用いられる名称であって、実際の位置関係及び方向を限定しない。また、特に断りのない限り、中心軸Ｊに平行な方向（Ｚ軸方向）を単に「軸方向」と記し、中心軸Ｊを中心とする径方向を単に「径方向」と記し、中心軸Ｊを中心とする周方向、すなわち、中心軸Ｊの軸周り（θ方向）を単に「周方向」と記す。
【００１３】
なお、本明細書において、軸方向に延びる、とは、厳密に軸方向（Ｚ軸方向）に延びる場合に加えて、軸方向に対して、４５°未満の範囲で傾いた方向に延びる場合も含む。また、本明細書において、径方向に延びる、とは、厳密に径方向、すなわち、軸方向（Ｚ軸方向）に対して垂直な方向に延びる場合に加えて、径方向に対して、４５°未満の範囲で傾いた方向に延びる場合も含む。
【００１４】
また、本明細書において、軸方向と垂直な方向に拡がる、とは、厳密に軸方向（Ｚ軸方向）と垂直な方向に拡がる場合に加えて、軸方向と垂直な方向に対して、４５°未満の範囲で傾いた方向に拡がる場合も含む。
【００１５】
［第１実施形態］
＜全体構成＞
図１は、第１実施形態に係る電動オイルポンプの斜視図である。図２は、図１のＡ−Ａ矢視に相当する電動オイルポンプ１の断面図である。本実施形態では、本発明に係るモータユニットについて、電動オイルポンプ１に用いられるモータユニット１００を例に説明する。本実施形態の電動オイルポンプ１は、図１に示すように、モータ部１０と、ポンプ部４０と、検出部７２と、制御部８２と、を有する。モータユニット１００は、モータ部１０と、検出部７２と、制御部８２と、を有する。図２に示すように、モータ部１０は、軸方向に延びる中心軸Ｊに沿って配置されたシャフト１１を有する。ポンプ部４０は、モータ部１０の軸方向一方側（フロント側）に位置し、モータ部１０によってシャフト１１を介して駆動されオイルを吐出する。検出部７２は、Ｚ軸方向においてモータ部１０とモータカバー７２ｃとの間に配置されて、シャフト１１の回転角を検出する。制御部８２は、Ｚ軸方向において検出部７２とモータカバー７２ｃとの間に配置されて、モータ部１０の作動を制御する。以下、構成部材毎に詳細に説明する。
【００１６】
＜モータ部１０＞
モータ部１０は、図２に示すように、シャフト１１と、ロータ２０と、ステータ２２と、モータハウジング１３の円筒部１３ｄと、を有する。
【００１７】
モータ部１０は、例えば、インナーロータ型のモータであり、ロータ２０がシャフト１１の外周面に固定され、ステータ２２がロータ２０の径方向外側に位置する。ロータ２０は、シャフト１１の軸方向他方側（ポンプ部４０に対してリア側）に固定される。ステータ２２は、ロータ２０と対向して配置される。
【００１８】
（モータハウジング１３）
モータハウジング１３は、ステータ２２を覆う円筒状の形状の円筒部１３ｄを有する。円筒部１３ｄは、ロータ２０及びステータ２２を収容する。モータハウジング１３は、ステータ保持部１３ａと、樹脂ユニット保持部１３ｃと、を有する。モータハウジング１３は、金属製である。
【００１９】
（ステータ保持部１３ａ）
ステータ保持部１３ａは、軸方向に延びる円筒状である。ステータ保持部１３ａ内にモータ部１０のシャフト１１とロータ２０とステータ２２とが配置される。
【００２０】
（樹脂ユニット保持部１３ｃ）
樹脂ユニット保持部１３ｃは、図２に示すように、モータハウジング１３の円筒部１３ｄのリア側端部に設けられる。モータハウジング１３の円筒部１３ｄのリア側端部には、樹脂ユニット１４が配置される。樹脂ユニット１４は、樹脂ユニット保持部１３ｃの径方向内側によって、径方向の位置決めがされる。
【００２１】
（樹脂ユニット１４）
樹脂ユニット１４は、樹脂製である。樹脂ユニット１４は、円環状部材である。樹脂ユニット１４は、フロント側にベアリング収容部１４ａを有する。樹脂ユニット１４のリア側は、ベアリング収容部１４ａよりも大径である、ベアリング収容部１４ａは、フロント側から見たときに円形状である。ベアリング収容部１４ａは、シャフト１１の中心軸Ｊと同軸上に配置される。ベアリング収容部１４ａ内に設けられたベアリング１６は、シャフト１１のリア側端部を支持する。
【００２２】
樹脂ユニット１４は、大径であるリア側にボス１４ｂ及びボス１４ｃを有する。ボス１４ｂ及びボス１４ｃは、リア側に突出する。樹脂ユニット１４は、大径であるリア側に検出部７２及び制御部８２を収容する。検出部７２は、樹脂ユニット１４のボス１４ｂ上に配置される。検出部７２は、ボス１４ｂに固定される。制御部８２は、樹脂ユニット１４のボス１４ｃ上に配置される。制御部８２は、ボス１４ｃに固定される。樹脂ユニット１４の軸方向他方側（リア側）の端部にはモータカバー７２ｃが配置されており、樹脂ユニット１４の軸方向他方側（リア側）の開口をモータカバー７２ｃで塞いでいる。
【００２３】
（ロータ２０）
ロータ２０は、図２に示すように、シャフト１１の、ポンプ部４０に対してリア側に固定される。ロータ２０は、ロータコア２０ａと、ロータマグネット２０ｂと、を有する。ロータコア２０ａは、シャフト１１を軸周り（θ方向）に囲んで、シャフト１１に固定される。ロータマグネット２０ｂは、ロータコア２０ａの軸周り（θ方向）に沿った外側面に固定される。ロータコア２０ａ及びロータマグネット２０ｂは、シャフト１１と共に回転する。なお、ロータ２０は、ロータ２０の内部に永久磁石が埋め込まれた埋込磁石型でもよい。埋込磁石型のロータ２０は、永久磁石をロータ２０の表面に設けた表面磁石型と比較して、遠心力によって磁石が剥がれることを軽減することができ、また、リラクタンストルクを積極的に利用することができる。
【００２４】
（ステータ２２）
ステータ２２は、ロータ２０の径方向外側に、ロータ２０と対向して配置され、ロータ２０を軸周り（θ方向）に囲み、ロータ２０を中心軸Ｊ周りに回転させる。ステータ２２は、コアバック部２２ａと、ティース部２２ｃと、コイル２２ｂと、インシュレータ（ボビン）２２ｄと、を有する。
【００２５】
コアバック部２２ａの形状は、シャフト１１と同心の円筒状である。ティース部２２ｃは、コアバック部２２ａの内側面からシャフト１１に向かって延びる。ティース部２２ｃは、複数設けられ、コアバック部２２ａの内側面の周方向に均等な間隔で配置される。コイル２２ｂは、インシュレータ２２ｄの周囲に巻回されてなる。インシュレータ２２ｄは、各ティース部２２ｃに装着される。
【００２６】
（シャフト１１）
シャフト１１は、図２に示すように、軸方向に延びる中心軸Ｊを中心として延びてモータ部１０を貫通する。シャフト１１のフロント側（−Ｚ側）は、モータ部１０から突出して、ポンプ部４０内に延びる。シャフト１１のフロント側はポンプ部４０のインナーロータ４７ａに固定される。シャフト１１のフロント側は、ベアリング５５で支持される。このため、シャフト１１は、両端支持の状態となる。
【００２７】
＜制御部８２＞
図３は、図１に示した電動オイルポンプ１からモータカバー７２ｃを外した状態を示す斜視図である。制御部８２は、図２及び図３に示すように、板状の基板８２ａと、基板８２ａに実装された電子部品８２ｂを有する。制御部８２は、検出部７２からの検出信号に基づいてモータ部１０を駆動する。制御部８２は、モータ部１０を駆動する信号を生成し、その信号をモータ部１０に対して出力する。基板８２ａは、樹脂ユニット１４のボス１４ｃに支持されて固定される。電子部品８２ｂは、第１の電子部品である。基板８２ａは、第１の電子部品が実装された制御基板である。基板８２ａの面は、軸方向と垂直な方向に拡がる。
【００２８】
＜検出部７２＞
図４は、図３に示した電動オイルポンプ１から制御部８２を外した状態を示す斜視図である。検出部７２は、図２に示すように、シャフト１１のリア側端部に対向して配置され、板状の基板７２ａと、基板７２ａに実装された回転角センサ７２ｂと、を有する。基板７２ａは、樹脂ユニット１４のボス１４ｂに支持されて固定される。回転角センサ７２ｂは、第２の電子部品である。基板７２ａは、第２の電子部品が実装された回転角検出基板である。基板７２ａの面は、軸方向と垂直な方向に拡がる。基板７２ａは、シャフト１１よりも軸方向他方側に位置する。基板８２ａは、基板７２ａよりも軸方向他方側に位置する。基板８２ａは、軸方向において基板７２ａと重なる。
【００２９】
シャフト１１のリア側端部には回転角センサ用磁石７２ｄが配置されて固定される。回転角センサ７２ｂは、回転角センサ用磁石７２ｄと対向し、回転角センサ用磁石７２ｄのリア側に配置される。シャフト１１が回転すると回転角センサ用磁石７２ｄも回転し、これにより磁束が変化する。回転角センサ７２ｂは、回転角センサ用磁石７２ｄの回転による磁束の変化を検出し、これによりシャフト１１の回転角を検出する。検出部７２は、回転角センサ７２ｂによる検出結果である検出信号を、制御部８２に出力する。検出部７２から制御部８２に出力される検出信号は、詳しくは後述するバスバー１５ａ、１５ｂ、１５ｃ、１５ｄ及び１５ｅ（図５参照）によって伝送される。バスバー１５ａ、１５ｂ、１５ｃ、１５ｄ及び１５ｅは、検出部７２と制御部８２とを電気的に接続する接続部材である。バスバー１５ａ、１５ｂ、１５ｃ、１５ｄ及び１５ｅは、基板７２ａと基板８２ａとを電気的に接続する。
【００３０】
＜ポンプ部４０＞
ポンプ部４０は、図２に示すように、モータ部１０の軸方向一方側（フロント側）に位置する。ポンプ部４０は、モータ部１０によってシャフト１１を介して駆動される。ポンプ部４０は、ポンプロータ４７と、ポンプハウジング５１と、を有する。本実施形態では、ポンプハウジング５１は、ポンプボディ５２と、ポンプカバー５７と、を有する。ポンプハウジング５１は、ポンプボディ５２とポンプカバー５７との間にポンプロータ４７を収容する収容部６０を有する。以下、各部品について詳細に説明する。
【００３１】
（ポンプボディ５２）
ポンプボディ５２は、図２に示すように、モータハウジング１３の円筒部１３ｄのフロント側端部に配置される。ポンプボディ５２は、リア側（＋Ｚ側）の端面５２ｃからフロント側（−Ｚ側）に窪む凹部５４を有する。凹部５４内にはリア側からフロント側へ向かってベアリング５５及びシール部材５９が順に収容される。ベアリング５５は、モータ部１０から軸方向一方側（フロント側）に突出するシャフト１１を支持する。シール部材５９は、ポンプロータ４７から漏れ出すオイルをシールする。
【００３２】
ポンプボディ５２は、モータハウジング１３と単一の部材である。これにより、凹部５４内のベアリング５５を軸方向に位置決めする。
【００３３】
ポンプボディ５２は、中心軸Ｊに沿って貫通する貫通孔５６を有する。貫通孔５６は軸方向両端が開口してシャフト１１が通され、リア側（＋Ｚ側）の開口が凹部５４に開口し、フロント側（−Ｚ側）の開口がポンプボディ５２のフロント側の端面５２ｄに開口する。
【００３４】
（ポンプロータ４７）
ポンプロータ４７は、図２に示すように、ポンプボディ５２のフロント側に取り付けられる。ポンプロータ４７は、インナーロータ４７ａと、アウターロータ４７ｂと、ロータボディ４７ｃと、を有する。ポンプロータ４７は、シャフト１１に取り付けられる。より詳細には、ポンプロータ４７は、シャフト１１のフロント側（−Ｚ側）に取り付けられる。インナーロータ４７ａは、シャフト１１に固定される。アウターロータ４７ｂは、インナーロータ４７ａの径方向外側を囲む。ロータボディ４７ｃは、アウターロータ４７ｂの径方向外側を囲む。ロータボディ４７ｃは、ポンプボディ５２と単一の部材である。
【００３５】
インナーロータ４７ａは、円環状である。インナーロータ４７ａは、径方向外側面に歯を有する歯車である。インナーロータ４７ａは、シャフト１１と共に軸周り（θ方向）に回転する。アウターロータ４７ｂは、インナーロータ４７ａの径方向外側を囲む円環状である。アウターロータ４７ｂは、径方向内側面に歯を有する歯車である。アウターロータ４７ｂの径方向外側面は円形である。ロータボディ４７ｃの径方向内側面は円形である。
【００３６】
インナーロータ４７ａの径方向外側面の歯車とアウターロータ４７ｂの径方向内側面の歯車とは互いに噛み合い、シャフト１１によってインナーロータ４７ａが回転することでアウターロータ４７ｂが回転する。すなわち、シャフト１１の回転によりポンプロータ４７は回転する。言い換えると、モータ部１０とポンプ部４０とは同一の回転軸を有する。これにより、電動オイルポンプ１が軸方向に大型化することを抑制できる。
【００３７】
また、インナーロータ４７ａ及びアウターロータ４７ｂが回転することで、インナーロータ４７ａとアウターロータ４７ｂとの噛み合わせ部分の間の容積が変化する。容積が減少する領域が加圧領域となり、容積が増加する領域が負圧領域となる。ポンプロータ４７の負圧領域のフロント側には、ポンプカバー５７の吸入ポート（不図示）が配置される。また、ポンプロータ４７の加圧領域のフロント側には、ポンプカバー５７の吐出ポート（不図示）が配置される。
【００３８】
（ポンプカバー５７）
ポンプカバー５７は、図２に示すように、ポンプロータ４７のフロント側に取り付けられる。ポンプカバー５７は、ポンプロータ４７のロータボディ４７ｃに固定される。ポンプカバー５７は、ポンプボディ５２に取り付けられ、固定される。ポンプカバー５７は、吸入ポートにつながる吸入口４１を有する。ポンプカバー５７は、吐出ポートにつながる吐出口４２を有する。
【００３９】
ポンプカバー５７に設けられた吸入口４１からポンプカバー５７の吸入ポートを介してポンプロータ４７内に吸入されるオイルは、インナーロータ４７ａとアウターロータ４７ｂとの間の容積部分に収容され、加圧領域に送られる。その後、オイルは、ポンプカバー５７の吐出ポートを介してポンプカバー５７に設けられた吐出口４２から吐出される。吸入口４１による吸入の向きと吐出口４２による吐出の向きとは直交する。これにより、吸入口から吐出口までの圧力損失を低減し、オイルの流れをスムーズにすることができる。
【００４０】
＜バスバー１５ａ、１５ｂ、１５ｃ、１５ｄ及び１５ｅ＞
図５は、図１に示した電動オイルポンプ１から、樹脂ユニット１４及びインサート成形により樹脂ユニット１４と一体化された構成を抜き出して示す斜視図である。図６は、図５の構成を、図５とは異なる向きから見た斜視図である。図５は、＋Ｙ方向を図中の左下側に配置した斜視図である。図６は、＋Ｘ方向を図中の左下側に配置した斜視図である。樹脂ユニット１４は、バスバー１５ａ、１５ｂ、１５ｃ、１５ｄ及び１５ｅを固定する固定部１４ｄを有する。
【００４１】
樹脂ユニット１４は、バスバー１５ａ、１５ｂ、１５ｃ、１５ｄ及び１５ｅをインサート品として、インサート成形された。このため、ボス１４ｂは、バスバー１５ａ、１５ｂ、１５ｃ、１５ｄ及び１５ｅをインサート品として、インサート成形された。また、ボス１４ｃは、バスバー１５ａ、１５ｂ、１５ｃ、１５ｄ及び１５ｅをインサート品として、インサート成形された。また、固定部１４ｄは、バスバー１５ａ、１５ｂ、１５ｃ、１５ｄ及び１５ｅをインサート品として、インサート成形された。
【００４２】
樹脂ユニット１４は、導通部材１７をインサート品として、インサート成形された。このため、ボス１４ｂは、導通部材１７をインサート品として、インサート成形された。また、ボス１４ｃは、導通部材１７をインサート品として、インサート成形された。また、固定部１４ｄは、導通部材１７をインサート品として、インサート成形された。樹脂ユニット１４は、導通部材１８をインサート品として、インサート成形された。このため、ボス１４ｂは、導通部材１８をインサート品として、インサート成形された。また、ボス１４ｃは、導通部材１８をインサート品として、インサート成形された。また、固定部１４ｄは、導通部材１８をインサート品として、インサート成形された。
【００４３】
図７、図８、図９及び図１０は、図１に示した電動オイルポンプ１から、制御部８２、検出部７２、バスバー１５ａ、バスバー１５ｂ、バスバー１５ｃ、バスバー１５ｄ及びバスバー１５ｅを抜き出して示す図である。図７は、バスバー１５ａ、１５ｂ、１５ｃ、１５ｄ及び１５ｅによる、制御部８２と検出部７２との接続状態を示す図であって、＋Ｙ方向を図中の左側に配置した側面図である。図８は、バスバー１５ａ、１５ｂ、１５ｃ、１５ｄ及び１５ｅによる、制御部８２と検出部７２との接続状態を示す図であって、＋Ｘ方向を図中の左側に配置した側面図である。図９は、バスバー１５ａ、１５ｂ、１５ｃ、１５ｄ及び１５ｅによる、制御部８２と検出部７２との接続状態を示す図であって、＋Ｘ方向を図中の左側に配置した平面図である。図１０は、バスバー１５ａ、１５ｂ、１５ｃ、１５ｄ及び１５ｅによる、制御部８２と検出部７２との接続状態を示す図であって、＋Ｘ方向を図中の左側に配置した底面図である。図１１は、図９の構成から制御部８２を外した状態を示す平面図である。図１２は、図１に示した電動オイルポンプ１から、バスバー１５ａ、バスバー１５ｂ、バスバー１５ｃ、バスバー１５ｄ及びバスバー１５ｅを抜き出して示す斜視図である。
【００４４】
電子部品８２ｂは、図７に示すように、基板８２ａの面のうち、基板７２ａと対向しない面（リア側の面）に実装される。このため、本実施形態によれば、基板８２ａと基板７２ａとの間隔を、電子部品８２ｂの高さよりも狭めることができ、電動オイルポンプ１の軸方向のサイズを小型化することができる。
【００４５】
バスバー１５ａは、図１２に示すように、端子部１５ａａ、端子部１５ａｂ、延伸部１５ａｃ、延伸部１５ａｄ、延伸部１５ａｅ及び延伸部１５ａｆを有する。バスバー１５ａは、一端に端子部１５ａａを有する。バスバー１５ａは、他端に端子部１５ａｂを有する。端子部１５ａａは、−Ｚ方向に延びる。端子部１５ａａの一端は、図７及び図９に示すように、基板８２ａの貫通孔８２ａａを貫通して基板８２ａに接続される。端子部１５ａａの他端は、延伸部１５ａｃの一端に繋がる。延伸部１５ａｃは、−Ｘ方向に延びる。延伸部１５ａｃの他端は、延伸部１５ａｄの一端に繋がる。延伸部１５ａｄは、−Ｚ方向に延びる。延伸部１５ａｄの他端は、延伸部１５ａｅの一端に繋がる。延伸部１５ａｅは、−Ｙ方向に延びる。延伸部１５ａｅの他端は、延伸部１５ａｆの一端に繋がる。延伸部１５ａｆは、＋Ｚ方向に延びる。延伸部１５ａｆの他端は、端子部１５ａｂの一端に繋がる。端子部１５ａｂは、＋Ｘ方向に延びる。端子部１５ａｂの他端は、図１１に示すように、基板７２ａのランド７２ａａに接触して基板７２ａに接続される。端子部１５ａａは、基板８２ａの貫通孔８２ａａを貫通した状態で、基板８２ａにはんだ付けされる。端子部１５ａｂは、基板７２ａのランド７２ａａに接触した状態で、基板７２ａにはんだ付けされる。
【００４６】
バスバー１５ｂは、図１２に示すように、端子部１５ｂａ、端子部１５ｂｂ、延伸部１５ｂｃ、延伸部１５ｂｄ、延伸部１５ｂｅ及び延伸部１５ｂｆを有する。バスバー１５ｂは、一端に端子部１５ｂａを有する。バスバー１５ｂは、他端に端子部１５ｂｂを有する。端子部１５ｂａは、−Ｚ方向に延びる。端子部１５ｂａの一端は、図７及び図９に示すように、基板８２ａの貫通孔８２ａｂを貫通して基板８２ａに接続される。端子部１５ｂａの他端は、延伸部１５ｂｃの一端に繋がる。延伸部１５ｂｃは、−Ｘ方向に延びる。延伸部１５ｂｃの他端は、延伸部１５ｂｄの一端に繋がる。延伸部１５ｂｄは、−Ｚ方向に延びる。延伸部１５ｂｄの他端は、延伸部１５ｂｅの一端に繋がる。延伸部１５ｂｅは、−Ｙ方向に延びる。延伸部１５ｂｅの他端は、延伸部１５ｂｆの一端に繋がる。延伸部１５ｂｆは、＋Ｚ方向に延びる。延伸部１５ｂｆの他端は、端子部１５ｂｂの一端に繋がる。端子部１５ｂｂは、＋Ｘ方向に延びる。端子部１５ｂｂの他端は、図１１に示すように、基板７２ａのランド７２ａｂに接触して基板７２ａに接続される。端子部１５ｂａは、基板８２ａの貫通孔８２ａｂを貫通した状態で、基板８２ａに、はんだ付けされる。端子部１５ｂｂは、基板７２ａのランド７２ａｂに接触した状態で、基板７２ａに、はんだ付けされる。
【００４７】
バスバー１５ｃは、図１２に示すように、端子部１５ｃａ、端子部１５ｃｂ、延伸部１５ｃｃ、延伸部１５ｃｄ、延伸部１５ｃｅ及び延伸部１５ｃｆを有する。バスバー１５ｃは、一端に端子部１５ｃａを有する。バスバー１５ｃは、他端に端子部１５ｃｂを有する。端子部１５ｃａは、−Ｚ方向に延びる。端子部１５ｃａの一端は、図７及び図９に示すように、基板８２ａの貫通孔８２ａｃを貫通して基板８２ａに接続される。端子部１５ｃａの他端は、延伸部１５ｃｃの一端に繋がる。延伸部１５ｃｃは、−Ｘ方向に延びる。延伸部１５ｃｃの他端は、延伸部１５ｃｄの一端に繋がる。延伸部１５ｃｄは、−Ｚ方向に延びる。延伸部１５ｃｄの他端は、延伸部１５ｃｅの一端に繋がる。延伸部１５ｃｅは、−Ｙ方向に延びる。延伸部１５ｃｅの他端は、延伸部１５ｃｆの一端に繋がる。延伸部１５ｃｆは、＋Ｚ方向に延びる。延伸部１５ｃｆの他端は、端子部１５ｃｂの一端に繋がる。端子部１５ｃｂは、＋Ｘ方向に延びる。端子部１５ｃｂの他端は、図１１に示すように、基板７２ａのランド７２ａｃに接触して基板７２ａに接続される。端子部１５ｃａは、基板８２ａの貫通孔８２ａｃを貫通した状態で、基板８２ａに、はんだ付けされる。端子部１５ｃｂは、基板７２ａのランド７２ａｃに接触した状態で、基板７２ａに、はんだ付けされる。
【００４８】
バスバー１５ｄは、図１２に示すように、端子部１５ｄａ、端子部１５ｄｂ、延伸部１５ｄｃ、延伸部１５ｄｄ、延伸部１５ｄｅ及び延伸部１５ｄｆを有する。バスバー１５ｄは、一端に端子部１５ｄａを有する。バスバー１５ｄは、他端に端子部１５ｄｂを有する。端子部１５ｄａは、−Ｚ方向に延びる。端子部１５ｄａの一端は、図７及び図９に示すように、基板８２ａの貫通孔８２ａｄを貫通して基板８２ａに接続される。端子部１５ｄａの他端は、延伸部１５ｄｃの一端に繋がる。延伸部１５ｄｃは、−Ｘ方向に延びる。延伸部１５ｄｃの他端は、延伸部１５ｄｄの一端に繋がる。延伸部１５ｄｄは、−Ｚ方向に延びる。延伸部１５ｄｄの他端は、延伸部１５ｄｅの一端に繋がる。延伸部１５ｄｅは、−Ｙ方向に延びる。延伸部１５ｄｅの他端は、延伸部１５ｄｆの一端に繋がる。延伸部１５ｄｆは、＋Ｚ方向に延びる。延伸部１５ｄｆの他端は、端子部１５ｄｂの一端に繋がる。端子部１５ｄｂは、＋Ｘ方向に延びる。端子部１５ｄｂの他端は、図１１に示すように、基板７２ａのランド７２ａｄに接触して基板７２ａに接続される。端子部１５ｄａは、基板８２ａの貫通孔８２ａｄを貫通した状態で、基板８２ａに、はんだ付けされる。端子部１５ｄｂは、基板７２ａのランド７２ａｄに接触した状態で、基板７２ａに、はんだ付けされる。
【００４９】
バスバー１５ｅは、図１２に示すように、端子部１５ｅａ、端子部１５ｅｂ、延伸部１５ｅｃ、延伸部１５ｅｄ及び延伸部１５ｅｅを有する。バスバー１５ｅは、一端に端子部１５ｅａを有する。バスバー１５ｅは、他端に端子部１５ｅｂを有する。端子部１５ｅａは、−Ｚ方向に延びる。端子部１５ｅａの一端は、図７及び図９に示すように、基板８２ａの貫通孔８２ａｅを貫通して基板８２ａに接続される。端子部１５ｅａの他端は、延伸部１５ｅｃの一端に繋がる。延伸部１５ｅｃは、＋Ｙ方向に延びる。延伸部１５ｅｃの他端は、延伸部１５ｅｄの一端に繋がる。延伸部１５ｅｄは、−Ｚ方向に延びる。延伸部１５ｅｄの他端は、延伸部１５ｅｅの一端に繋がる。延伸部１５ｅｅは、＋Ｙ方向に延びる。延伸部１５ｅｅの他端は、端子部１５ｅｂの一端に繋がる。端子部１５ｅｂは、＋Ｘ方向に延びる。端子部１５ｅｂの他端は、図１１に示すように、基板７２ａのランド７２ａｅに接触して基板７２ａに接続される。端子部１５ｅａは、基板８２ａの貫通孔８２ａｅを貫通した状態で、基板８２ａに、はんだ付けされる。端子部１５ｅｂは、基板７２ａのランド７２ａｅに接触した状態で、基板７２ａに、はんだ付けされる。
【００５０】
端子部１５ａａ、１５ｂａ、１５ｃａ、１５ｄａ及び１５ｅａは、端子部１５ａａ、１５ｂａ、１５ｃａ、１５ｄａ、１５ｅａの順で、−Ｙ方向に向かい、一列に並んで配置される。端子部１５ａｂ、１５ｂｂ、１５ｃｂ、１５ｄｂ及び１５ｅｂは、端子部１５ａｂ、１５ｂｂ、１５ｃｂ、１５ｄｂ、１５ｅｂの順で、＋Ｙ方向に向かい、一列に並んで配置される。
【００５１】
バスバー１５ａ、１５ｂ、１５ｃ及び１５ｄは、基板７２ａ及び基板８２ａから離れる方向に延びる延伸部１５ａｄ、１５ｂｄ、１５ｃｄ、１５ｄｄ、１５ａｆ、１５ｂｆ、１５ｃｆ及び１５ｄｆを有する。このため、本実施形態によれば、バスバー１５ａ、１５ｂ、１５ｃ及び１５ｄを、基板７２ａと基板８２ａとの間に配置した場合と比べて、基板７２ａと基板８２ａとの間の距離を狭めることができ、電動オイルポンプ１を軸方向で小型化することができる。また、延伸部１５ａｄ、１５ｂｄ、１５ｃｄ、１５ｄｄ、１５ａｆ、１５ｂｆ、１５ｃｆ及び１５ｄｆは、Ｚ方向に延びるので、電動オイルポンプ１を径方向で小型化することができる。
【００５２】
なお、図１２では、延伸部１５ａｄ、１５ｂｄ、１５ｃｄ、１５ｄｄ、１５ａｆ、１５ｂｆ、１５ｃｆ及び１５ｄｆは、延伸方向がＺ方向であるが、これに限られず、延伸部１５ａｄ、１５ｂｄ、１５ｃｄ、１５ｄｄ、１５ａｆ、１５ｂｆ、１５ｃｆ及び１５ｄｆに代えて、基板７２ａ及び基板８２ａから離れる方向且つＸ方向に延びる延伸部を設けてもよい。この場合でも電動オイルポンプ１を軸方向で小型化することができる。
【００５３】
また、図８に示すように、バスバー１５ａ、１５ｂ、１５ｃ、１５ｄ及び１５ｅと基板７２ａとの接続位置は、軸方向と垂直な方向において、バスバー１５ａ、１５ｂ、１５ｃ、１５ｄ及び１５ｅと基板８２ａとの接続位置とずれた位置である。
【００５４】
図１０に示すように、バスバー１５ａ、１５ｂ、１５ｃ、１５ｄ及び１５ｅと基板７２ａとの接続位置は、基板７２ａの第１の辺である辺７２ｅに位置する。また、図１０に示すように、バスバー１５ａ、１５ｂ、１５ｃ、１５ｄ及び１５ｅと基板８２ａとの接続位置は、基板８２ａの第２の辺である辺８２ｃに位置する。軸方向と垂直な方向での辺７２ｅの向きは、軸方向と垂直な方向での辺８２ｃの向きと同じである。また、図１０に示すように、バスバー１５ａ、１５ｂ、１５ｃ、１５ｄ及び１５ｅと、基板７２ａとの接続位置は、バスバー１５ａ、１５ｂ、１５ｃ、１５ｄ及び１５ｅと、基板８２ａとの接続位置よりも径方向内側である。
【００５５】
また、図１２に示すように、端子部１５ａａ、端子部１５ｂａ、端子部１５ｃａ、端子部１５ｄａ及び端子部１５ｅａは、角柱形状であるので、加工が容易でありながら、基板８２ａの貫通孔８２ａａ、８２ａｂ、８２ａｃ、８２ａｄ及び８２ａｅへの挿入がし易く、歩留まりを向上することができる。
【００５６】
また、図１２に示すように、端子部１５ａｂ、端子部１５ｂｂ、端子部１５ｃｂ、端子部１５ｄｂ及び端子部１５ｅｂは、＋Ｘ方向の端部が、−Ｚ方向に屈曲した後に＋Ｚ方向に屈曲した形状である。バスバー１５ａ、１５ｂ、１５ｃ、１５ｄ及び１５ｅがインサート成形された樹脂ユニット１４に対して基板７２ａを取り付ける作業は、＋Ｘ方向から−Ｘ方向に基板７２ａをスライドさせることになるが、端子部１５ａｂ、端子部１５ｂｂ、端子部１５ｃｂ、端子部１５ｄｂ及び端子部１５ｅｂの＋Ｘ方向の先端が、＋Ｚ方向に屈曲しているので、端子部１５ａｂ、端子部１５ｂｂ、端子部１５ｃｂ、端子部１５ｄｂ及び端子部１５ｅｂを破損させることなく、スムーズに作業することができる。このため、樹脂ユニット１４に対して基板７２ａを取り付ける作業がし易く、歩留まりを向上することができる。また、端子部１５ａｂ、端子部１５ｂｂ、端子部１５ｃｂ、端子部１５ｄｂ及び端子部１５ｅｂは、＋Ｘ方向の端部が、−Ｚ方向に屈曲しているので、バスバー１５ａ、１５ｂ、１５ｃ、１５ｄ及び１５ｅと基板７２ａとの電気的な接続を得やすい。
【００５７】
＜モータユニット１００の作用・効果＞
次に、本実施形態に係るモータユニット１００（モータ部１０、検出部７２及び制御部８２）の作用・効果について説明する。図１及び図２に示すように、モータ部１０は、軸方向に延びる中心軸Ｊに沿って配置されたシャフト１１を有する。検出部７２は、シャフト１１の回転角を検出する。制御部８２は、検出部７２による検出結果に基づいてモータ部１０の作動を制御する。
【００５８】
＜電動オイルポンプ１の作用・効果＞
次に、電動オイルポンプ１の作用・効果について説明する。図１及び図２に示すように、電動オイルポンプ１のモータ部１０が駆動すると、モータ部１０のシャフト１１が回転して、ポンプロータ４７のインナーロータ４７ａの回転にともなってアウターロータ４７ｂも回転する。ポンプロータ４７が回転すると、ポンプ部４０の吸入口４１から吸入されたオイルは、ポンプ部４０の収容部６０内を移動して、吐出口４２から吐出される。
【００５９】
（１）ここで、本実施形態に係るモータユニット１００の基板８２ａは、軸方向において基板７２ａと重なる。バスバー１５ａ、１５ｂ、１５ｃ及び１５ｄは、基板７２ａと基板８２ａとを電気的に接続する。バスバー１５ａ、１５ｂ、１５ｃ及び１５ｄは、基板７２ａ及び基板８２ａから離れる方向に延びる延伸部（延伸部１５ａｄ、１５ｂｄ、１５ｃｄ及び１５ｄｄ、延伸部１５ａｆ、１５ｂｆ、１５ｃｆ及び１５ｄｆ）を有する。このため、本実施形態によれば、バスバー１５ａ、１５ｂ、１５ｃ及び１５ｄを、基板８２ａと基板７２ａとの間に配置しない構成でありながら基板７２ａと基板８２ａとを電気的に接続することができるので、基板７２ａと基板８２ａとの間隔を狭めることができ、モータユニット１００の軸方向のサイズを小型化することができる。したがって、本実施形態によれば、小型化したモータユニット１００を提供することができる。
【００６０】
（２）また、バスバー１５ａ、１５ｂ、１５ｃ及び１５ｄの、基板７２ａ及び基板８２ａから離れる方向に延びる延伸部は、軸方向において基板７２ａ及び基板８２ａから離れる方向に延びる延伸部（延伸部１５ａｄ、１５ｂｄ、１５ｃｄ及び１５ｄｄ、延伸部１５ａｆ、１５ｂｆ、１５ｃｆ及び１５ｄｆ）である。このため、本実施形態によれば、モータユニット１００の径方向のサイズを小型化することができる。したがって、本実施形態は、小型化したモータユニット１００を提供することができる。
【００６１】
（３）また、バスバー１５ａ、１５ｂ、１５ｃ、１５ｄ及び１５ｅと基板７２ａとの接続位置は、軸方向と垂直な方向において、バスバー１５ａ、１５ｂ、１５ｃ、１５ｄ及び１５ｅと基板８２ａとの接続位置とずれた位置である。このため、本実施形態では、軸方向と垂直な方向において、バスバー１５ａ、１５ｂ、１５ｃ、１５ｄ及び１５ｅと基板７２ａとの接続位置を、バスバー１５ａ、１５ｂ、１５ｃ、１５ｄ及び１５ｅと基板８２ａとの接続位置と一致させる必要がないので、基板に実装する各構成の配置の自由度が高い。これにより、本実施形態によれば、モータユニット１００を小型化することができる。
【００６２】
（４）また、バスバー１５ａ、１５ｂ、１５ｃ、１５ｄ及び１５ｅと基板７２ａとの接続位置は、基板７２ａの第１の辺である辺７２ｅに位置する。バスバー１５ａ、１５ｂ、１５ｃ、１５ｄ及び１５ｅと基板８２ａとの接続位置は、基板８２ａの第２の辺である辺８２ｃに位置する。軸方向と垂直な方向での辺７２ｅの向きは、軸方向と垂直な方向での辺８２ｃの向きと同じである。このため、本実施形態によれば、バスバー１５ａ、１５ｂ、１５ｃ、１５ｄ及び１５ｅの長さを縮小させることができ、モータユニット１００を小型化することができる。
【００６３】
（５）また、電動オイルポンプ１は、基板７２ａ及び基板８２ａを固定する台座部であるボス１４ｂ及び１４ｃを有する。例えば、樹脂ユニット１４が、ボス１４ｂ及び１４ｃを有する。ボス１４ｂ及び１４ｃは樹脂製の部材である。ボス１４ｂ及び１４ｃは、バスバー１５ａ、１５ｂ、１５ｃ、１５ｄ及び１５ｅをインサート品として、インサート成形された。このため、本実施形態によれば、樹脂ユニット１４によって、バスバー１５ａ、１５ｂ、１５ｃ、１５ｄ及び１５ｅと、基板７２ａ及び基板８２ａとの位置決めを容易に行うことができる。
【００６４】
（６）また、本実施形態では、導通性を有する導通部材１７及び１８を有する。台座部であるボス１４ｂ及び１４ｃは、導通部材１７及び１８をインサート品として、インサート成形された。このため、本実施形態によれば、導通部材１７及び１８の位置決めも容易に行うことができる。
【００６５】
（７）また、本実施形態において、バスバー１５ａ、１５ｂ、１５ｃ、１５ｄ及び１５ｅと、基板７２ａとの接続位置は、バスバー１５ａ、１５ｂ、１５ｃ、１５ｄ及び１５ｅと、基板８２ａとの接続位置よりも径方向内側である。このため、本実施形態によれば、軸方向と垂直な方向において基板７２ａを基板８２ａよりも突出させずに配置することができる。このため、本実施形態によれば、軸方向と垂直な方向において基板８２ａが基板７２ａよりも広い場合に、モータユニット１００の径方向のサイズを小型化することができる。
【００６６】
（８）また、本実施形態において、電動オイルポンプ１は、モータユニット１００と、モータユニット１００によって駆動されるポンプ部４０と、を有する。このため、本実施形態によれば、電動オイルポンプ１の軸方向のサイズを小型化することができる。したがって、本実施形態によれば、小型化した電動オイルポンプ１を提供することができる。
【００６７】
以上、本発明の好ましい実施形態について説明したが、本発明は、これらの実施形態に限定されず、その要旨の範囲内で種々の変形および変更が可能である。これらの実施形態及びその変形は、発明の範囲及び要旨に含まれると同時に、特許請求の範囲に記載された発名とその均等の範囲に含まれる。
【００６８】
本出願は、２０１８年４月２４日に出願された日本特許出願である特願２０１８−０８３３１０号に基づく優先権を主張し、当該日本特許出願のすべての記載内容を援用する。
【符号の説明】
【００６９】
１  電動オイルポンプ
１０  モータ部
１１  シャフト
１４  樹脂ユニット
１５ａ、１５ｂ、１５ｃ、１５ｄ、１５ｅ  バスバー
２０  ロータ
２２  ステータ
４０  ポンプ部
４７  ポンプロータ
５１  ポンプハウジング
５５  ベアリング
５９  シール部材
６０  収容部
７２  検出部
７２ａ  基板
７２ｂ  回転角センサ
８２  制御部
８２ａ  基板
８２ｂ  電子部品
７２ｃ  モータカバー
１００  モータユニット
Ｊ  中心軸
【図１】
2019208076.tif 000003
【図２】
2019208076.tif 000004
【図３】
2019208076.tif 000005
【図４】
2019208076.tif 000006
【図５】
2019208076.tif 000007
【図６】
2019208076.tif 000008
【図７】
2019208076.tif 000009
【図８】
2019208076.tif 000010
【図９】
2019208076.tif 000011
【図１０】
2019208076.tif 000012
【図１１】
2019208076.tif 000013
【図１２】
2019208076.tif 000014
【国際調査報告】
2019208076.tif 000015
2019208076.tif 000016
2019208076.tif 000017